(57)【要約】【課題】階層型メニューの階層構造を視覚的に把握することができ、過去に行った操作の履歴を用いて、所望の選択項目をより容易に選択することができる電子機器を提供する。【解決手段】テレビジョン受像機１００において、メニュー情報表示制御手段は、記憶手段に記憶されたメニュー情報を表示部１０に表示させ、選択履歴情報記憶手段は、リモコン２を用いて選択操作されたメニュー情報の選択履歴情報を記憶し、選択履歴情報表示制御手段は、選択履歴情報記憶手段により記憶された選択履歴情報における最終選択項目と、当該最終選択項目の各上位階層における選択項目とを対応づけて表示させ、選択可能項目表示制御手段は、表示された最終選択項目に対応する上位階層において他に選択可能な選択可能項目を表示させ、選択可能項目表示制御手段により表示された選択可能項目の中から、一の選択可能項目が選択可能である。【選択図】図１
2008287567.tif 000002
【特許請求の範囲】
【請求項１】
電子機器において、
当該電子機器における所定の設定を行うための階層化されたメニュー情報を記憶する記憶手段と、
前記記憶手段に記憶された前記メニュー情報を、表示部に表示させるメニュー情報表示制御手段と、
前記メニュー情報表示制御手段により前記表示部に表示されたメニュー情報の中から、ユーザが選択操作するための選択操作手段と、
前記選択操作手段を用いてユーザにより選択操作されたメニュー情報の選択履歴情報を記憶する選択履歴情報記憶手段と、
前記選択履歴情報記憶手段により記憶された前記選択履歴情報における最終選択項目と、当該最終選択項目の各上位階層における選択項目とを対応づけて、前記表示部に表示させる選択履歴情報表示制御手段と、
前記表示部に表示された前記最終選択項目に対応する上位階層において他に選択可能な選択可能項目を、前記表示部に表示させる選択可能項目表示制御手段と、を備え、
前記選択可能項目表示制御手段により前記表示部に表示された選択可能項目の中から、一の選択可能項目を、前記選択操作手段を用いてユーザが選択可能であることを特徴とする電子機器。
【請求項２】
前記選択可能項目表示制御手段により前記表示部に表示された選択可能項目の中から、一の選択可能項目が、ユーザにより選択操作された場合に、当該一の選択可能項目に対応する下位階層のメニュー情報を、前記表示部に表示させる下位階層表示制御手段を備えることを特徴とする請求項１に記載の電子機器。
【請求項３】
前記選択可能項目表示制御手段は、前記選択可能項目を、前記表示部にスクロール表示させることを特徴とする請求項１又は２に記載の電子機器。
【請求項４】
前記選択操作手段は、前記選択履歴情報表示制御手段により前記選択履歴情報を前記表示部に表示させるための履歴表示専用キーを備えることを特徴とする請求項１〜３の何れか一項に記載の電子機器。
【請求項５】
テレビジョン受像機において、
当該テレビジョン受像機における所定の設定を行うための階層化されたメニュー情報を記憶する記憶手段と、
前記記憶手段に記憶された前記メニュー情報を、表示部に表示させるメニュー情報表示制御手段と、
前記メニュー情報表示制御手段により前記表示部に表示されたメニュー情報の中から、ユーザが選択操作するための選択操作手段と、
前記選択操作手段を用いてユーザにより選択操作されたメニュー情報の選択履歴情報を記憶する選択履歴情報記憶手段と、
前記選択履歴情報記憶手段により記憶された前記選択履歴情報における最終選択項目と、当該最終選択項目の各上位階層における選択項目とを対応づけて、前記表示部に表示させる選択履歴情報表示制御手段と、
前記選択履歴情報表示制御手段により前記表示部に表示された前記最終選択項目に対応する上位階層において他に選択可能な選択可能項目を、前記表示部にスクロール表示させる選択可能項目表示制御手段と、
前記選択可能項目表示制御手段により前記表示部にスクロール表示された選択可能項目の中から、一の選択可能項目が、前記選択操作手段を用いてユーザにより選択操作された場合に、当該一の選択可能項目に対応する下位階層のメニュー情報を、前記表示部に表示させる下位階層表示制御手段と、を備え、
前記選択操作手段は、
前記選択履歴情報表示制御手段により前記選択履歴情報を前記表示部に表示させるための履歴表示専用キーを備えることを特徴とするテレビジョン受像機。
【発明の詳細な説明】
【技術分野】
【０００１】
本発明は、電子機器及びテレビジョン受像機に関する。
【背景技術】
【０００２】
近年、テレビジョン受像機等の電子機器では、機能の増加・多様化に伴い、階層型メニューにおける階層数が増加するとともに、各階層においてユーザが選択可能な選択項目も増加しており、階層構造が複雑化している。そのため、ユーザは、最終的に選択したい選択項目に行き着くまでに、多数の階層において多数の選択項目から適切な項目を選択しなければならず、非常に煩雑な操作を余儀なくされている。
【０００３】
そこで、例えば、特許文献１には、上位の階層で選択されたコマンドを履歴コマンドとして表示すると共に、履歴コマンドを選択すると、その履歴コマンドが所属する階層のメニュウを表示し、メニュウあるいは履歴コマンドから任意のコマンドを選択できる階層化情報選択装置が提案されている。これによれば、途中の階層を飛び越して階層を移行して、コマンドの選択を早く行うことができる。
また、特許文献２には、ユーザが任意の調整項目をカスタマイズメニューとして登録し、それぞれのユーザが選択したカスタマイズメニューにより、少ないメニュー操作で調整項目を選択することができるカスタマイズメニュー方式が提案されている。
さらに、特許文献３には、例えば、７日以内に８回以上使用されるといった所定の条件を満たすメニューを、画面上に表示することにより、メニュー選択作業の効率化、簡略化を図ることができる情報処理装置が提案されている。
【特許文献１】特開平３−１６１８２３号公報
【特許文献２】特開平９−３０５３６０号公報
【特許文献３】特開２００１−６０１３３号公報
【発明の開示】
【発明が解決しようとする課題】
【０００４】
しかしながら、特許文献１では、履歴コマンドを選択すると、当該履歴コマンドが所属する階層のメニュー画面に切り替えられるため、階層構造を視覚的に把握することができないという問題があった。また、特許文献２では、カスタマイズメニューとして登録した調整項目については、少ないメニュー操作で選択することができるが、登録していない調整項目を選択するための操作は複雑なままであるという問題があった。さらに、特許文献３においても、特許文献２と同様、所定の条件を満たさないメニューについては選択操作が複雑なままである。
【０００５】
本発明の課題は、階層型メニューの階層構造を視覚的に把握することができ、過去に行った操作の履歴を用いて、所望の選択項目をより容易に選択することができる電子機器及びテレビジョン受像機を提供することである。
【課題を解決するための手段】
【０００６】
上記課題を解決するため、請求項１に記載の発明は、電子機器において、
当該電子機器における所定の設定を行うための階層化されたメニュー情報を記憶する記憶手段と、
前記記憶手段に記憶された前記メニュー情報を、表示部に表示させるメニュー情報表示制御手段と、
前記メニュー情報表示制御手段により前記表示部に表示されたメニュー情報の中から、ユーザが選択操作するための選択操作手段と、
前記選択操作手段を用いてユーザにより選択操作されたメニュー情報の選択履歴情報を記憶する選択履歴情報記憶手段と、
前記選択履歴情報記憶手段により記憶された前記選択履歴情報における最終選択項目と、当該最終選択項目の各上位階層における選択項目とを対応づけて、前記表示部に表示させる選択履歴情報表示制御手段と、
前記表示部に表示された前記最終選択項目に対応する上位階層において他に選択可能な選択可能項目を、前記表示部に表示させる選択可能項目表示制御手段と、を備え、
前記選択可能項目表示制御手段により前記表示部に表示された選択可能項目の中から、一の選択可能項目を、前記選択操作手段を用いてユーザが選択可能であることを特徴とする。
【０００７】
請求項２に記載の発明は、請求項１に記載の電子機器において、前記選択可能項目表示制御手段により前記表示部に表示された選択可能項目の中から、一の選択可能項目が、ユーザにより選択操作された場合に、当該一の選択可能項目に対応する下位階層のメニュー情報を、前記表示部に表示させる下位階層表示制御手段を備えることを特徴とする。
【０００８】
請求項３に記載の発明は、請求項１又は２に記載の電子機器において、前記選択可能項目表示制御手段は、前記選択可能項目を、前記表示部にスクロール表示させることを特徴とする。
【０００９】
請求項４に記載の発明は、請求項１〜３の何れか一項に記載の電子機器において、前記選択操作手段は、前記選択履歴情報表示制御手段により前記選択履歴情報を前記表示部に表示させるための履歴表示専用キーを備えることを特徴とする。
【００１０】
請求項５に記載の発明は、テレビジョン受像機において、
当該テレビジョン受像機における所定の設定を行うための階層化されたメニュー情報を記憶する記憶手段と、
前記記憶手段に記憶された前記メニュー情報を、表示部に表示させるメニュー情報表示制御手段と、
前記メニュー情報表示制御手段により前記表示部に表示されたメニュー情報の中から、ユーザが選択操作するための選択操作手段と、
前記選択操作手段を用いてユーザにより選択操作されたメニュー情報の選択履歴情報を記憶する選択履歴情報記憶手段と、
前記選択履歴情報記憶手段により記憶された前記選択履歴情報における最終選択項目と、当該最終選択項目の各上位階層における選択項目とを対応づけて、前記表示部に表示させる選択履歴情報表示制御手段と、
前記選択履歴情報表示制御手段により前記表示部に表示された前記最終選択項目に対応する上位階層において他に選択可能な選択可能項目を、前記表示部にスクロール表示させる選択可能項目表示制御手段と、
前記選択可能項目表示制御手段により前記表示部にスクロール表示された選択可能項目の中から、一の選択可能項目が、前記選択操作手段を用いてユーザにより選択操作された場合に、当該一の選択可能項目に対応する下位階層のメニュー情報を、前記表示部に表示させる下位階層表示制御手段と、を備え、
前記選択操作手段は、
前記選択履歴情報表示制御手段により前記選択履歴情報を前記表示部に表示させるための履歴表示専用キーを備えることを特徴とする。
【発明の効果】
【００１１】
本発明によれば、記憶手段に、電子機器における所定の設定を行うための階層化されたメニュー情報が記憶され、メニュー情報表示制御手段により、記憶手段に記憶されたメニュー情報が、表示部に表示され、選択操作手段により、メニュー情報表示制御手段により表示部に表示されたメニュー情報の中から、ユーザによる選択操作が行われ、選択履歴情報記憶手段により、選択操作手段を用いてユーザにより選択操作されたメニュー情報の選択履歴情報が記憶され、選択履歴情報表示制御手段により、選択履歴情報記憶手段により記憶された選択履歴情報における最終選択項目と、当該最終選択項目の各上位階層における選択項目とが対応づけられて、表示部に表示され、選択可能項目表示制御手段により、表示部に表示された最終選択項目に対応する上位階層において他に選択可能な選択可能項目が、表示部に表示され、選択可能項目表示制御手段により表示部に表示された選択可能項目の中から、一の選択可能項目が、選択操作手段を用いてユーザにより選択可能である。
したがって、表示部に、ユーザが過去に選択した最終選択項目と、当該最終選択項目の上位の各階層における選択項目と、を対応付けて表示させることができるとともに、当該上位の各階層において他に選択可能な選択可能項目を表示させることができるため、階層型メニューの階層構造を視覚的に把握することができ、過去に行った操作の履歴を用いて、所望の選択項目をより容易に選択することができる電子機器及びテレビジョン受像機を提供することができる。
【発明を実施するための最良の形態】
【００１２】
以下、本発明の実施の形態について、図面を参照しながら説明を行う。
本実施形態では、電子機器として、テレビジョン受像機を例示して説明を行うこととする。なお、電子機器はテレビジョン受像機でなくとも良く、例えば、ＤＶＤ（Digital Versatile Disc）プレーヤや、ＶＣＲ（Video Cassette Recorder）等であっても良い。
【００１３】
まず、図１を参照しながら、本実施形態のテレビジョン受像機１００の全体構成について説明する。
本実施形態のテレビジョン受像機１００は、例えば、ユーザが遠隔操作によって各種指示を入力するための選択操作手段としてのリモートコントローラ（以下、リモコンという。）２と、リモコン２による遠隔操作の対象であり、テレビジョン放送局等から受信する放送信号に基づく映像・音声を出力する受像機本体１と、を備えて構成されている。
【００１４】
リモコン２は、例えば、図２に示すように、複数のキーを備えるキー操作部２ａを備え、キー操作部２ａに備わるキーの押下操作がなされると、押下操作されたキーに対応するリモコンコードが図示しないリモコンコードメモリから読み出され、読み出されたリモコンコードに基づくリモコン信号が生成されて、赤外線ＬＥＤ（Light Emitting Diode）等から成る送信部により送信され、受像機本体１に入力されることとなる。また、キー操作部２ａは、受像機本体１の前面部等に設けられていても良い。
【００１５】
キー操作部２ａは、受像機本体１の電源をオン／オフするパワーキー２１と、メニュー情報を表示するメニュー画面を表示部１０に表示させるメニューキー２２と、選択履歴情報を表示する履歴画面を表示部１０に表示させる履歴表示キー（履歴表示専用キー）２３と、上キー２４ａ・下キー２４ｂ・左キー２４ｃ・右キー２４ｄから構成されるカーソル移動キー２４と、入力を確定する決定キー２５と、入力を消去するクリアキー２６と、音声モードを切替選択する音声モード切替キー２７と、前の画面に戻るためのリターンキー２８と、それぞれに「０」〜「９」の数字が割り当てられるテンキー２９と、音量を調節するボリュームアップ／ダウンキー３０と、チャンネルアップキー及びチャンネルダウンキーから構成されるチャンネルアップ／ダウンキー３１と、等を備えている。
【００１６】
受像機本体１は、例えば、図１に示すように、リモコン２から送信されるリモコン信号を受信するリモコン信号受光部４と、テレビジョン放送信号を受信するアンテナ５と、アンテナ５から入力された所定の周波数の音声・映像信号を選局するチューナ６と、チューナ６により選局された映像信号を復調する復調部７と、復調部７により復調された映像信号をデコードするデコーダ部８と、映像信号及び音声信号に対して所定の映像処理を行う信号処理部９と、表示部１０に出力される映像信号にＯＳＤデータを付加するＯＳＤ回路１０ｂと、映像信号に基づく映像を表示させる表示部１０と、音声を出力する音声出力部１１と、テレビジョン受像機１００全体を統括制御する制御部１２と、等を備えて構成され、各部はバス１３により接続されている。
【００１７】
リモコン信号受光部４は、例えば、図示は省略するが、フォトダイオードと、ＳＵＢＣＰＵと、増幅部と、復調部と、デコーダと、等を備えて構成されており、リモコン２から送信されたリモコン信号を、前面部等に設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１２に対して出力する。
【００１８】
アンテナ５は、例えば、屋外において所定の方向に向けて配置されており、図示しないテレビジョン放送局から発信される高周波（ＲＦ）のテレビジョン放送信号である音声・映像信号を受信する。
チューナ６は、例えば、図示は省略するが、高周波増幅回路と、局部発振回路及び混合回路から成る周波数変換回路と、を備えて構成されており、アンテナ５等により入力されたテレビジョン放送信号を、高周波増幅回路において増幅し、混合回路において局部発振回路から出力される局部発振信号と混合し、さらに、特定の周波数を選局するための制御部１２からの制御信号に応じて、特定周波数帯の中間周波信号（IF信号）を受信し、当該中間周波信号に所定の処理を行って復調部７に出力する。
復調部７は、例えば、制御部１２の制御に従い、チューナ６から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部８に出力する。
デコーダ部８は、例えば、復調部７から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部１２に供給する。ビデオデコーダは、ＴＳデコーダから入力されたビデオストリームを復号し、逆ＤＣＴ変換や動き補償制御等を行い、映像データを生成して、信号処理部９に出力する。また、オーディオデコーダは、ＴＳデコーダから入力されたオーディオストリームを復号し、音声データを生成して信号処理部９に出力する。
【００１９】
信号処理部９は、図示しない映像処理部及び音声処理部を備え、オーディオデコーダから入力された音声データに対して、Ｄ／Ａ変換等の各種処理を行い、音声信号を生成して音声出力部１１に出力するとともに、ビデオデコーダから入力された映像データに対して、画質調整処理等の各種の映像処理を行い、映像信号を生成して表示部１０に出力する。
ＯＳＤ回路１０ｂは、制御部１２からの指示出力に応じて、ＲＯＭ１２３に格納された図示しないＯＳＤデータを、表示部１０に出力される映像信号に合成する処理を行う。
【００２０】
表示部１０は、例えば、ＬＣＤ（Liquid Crystal Display）、ＰＤＰ（Plasma Display Panel）等のディスプレイ１０ａを備え、信号処理部９から入力された映像信号に基づく映像を当該ディスプレイ１０ａに表示させる。
音声出力部１１は、例えば、スピーカ１１ａ等を備え、信号処理部９から入力された音声信号に基づく音声を出力させる。
【００２１】
制御部１２は、ＣＰＵ（Central Processing Unit）１２１、メモリ部１２２、ＲＯＭ（Read Only Memory）１２３等を備えて構成されている。
【００２２】
ＣＰＵ１２１は、受像機本体１の各部から入力された入力信号や、リモコン２におけるキー操作に基づくリモコン信号に応じて、ＲＯＭ１２３に格納された各種プログラムを実行するとともに、実行にかかるプログラムに基づいて各部に出力信号を出力することにより、テレビジョン受像機１００の動作全般を統括制御する。
【００２３】
メモリ部１２２は、例えば、ＲＡＭ（Random Access Memory）等の揮発性メモリからなるワークエリア１２２１を備えており、ＣＰＵ１２１によって各種プログラムが実行される際に生じる処理結果や、入力されたデータ等をこのワークエリア１２２１に記憶させる。
【００２４】
また、メモリ部１２２は、ＥＰＲＯＭ（Erasable Programmable ROM）等の不揮発性メモリからなるデータエリア１２２２を備えている。データエリア１２２２には、例えば、メニュー情報記憶部（記憶手段）１２２２ａと、選択履歴情報記憶部（選択履歴情報記憶手段）１２２２ｂが備わる。
【００２５】
メニュー情報記憶部１２２２ａは、例えば、本テレビジョン受像機１００の実行する処理の内容を、ユーザに設定させるためのメニュー情報を記憶しており、当該メニュー情報は複数の階層に階層化されている。
メニュー情報における各階層は、複数の選択項目から構成される。例えば、最上位階層である第１階層は、「ＤＶＤビデオ設定」「画面設定」「機器設定」「初期設定」「お知らせ」の５つの選択項目から成る。また、第１階層の「初期設定」の下位に存在する第２階層は、例えば、「簡単設定」「チャンネル設定」「郵便番号設定」「電話番号設定」「全設定初期化」の５つの選択項目から成る。
このように階層化されたメニュー情報は、後述するメニュー情報表示制御プログラム１２３ａの実行において、階層ごとに、表示部１０に表示される。そして、ユーザが各階層において一の選択項目を選択することにより、最上位階層から下位の階層に順に遷移して、最終的に、一の階層における選択項目を選択する。
なお、以下の説明において、メニュー情報において、ユーザが最終的に選択した選択項目を「最終選択項目」という。
【００２６】
選択履歴情報記憶部１２２２ｂは、後述するメニュー情報表示制御プログラム１２３ａの実行において、表示部１０に表示されたメニュー情報の中から、リモコン２を用いて、ユーザにより選択操作されたメニュー情報の選択履歴情報を記憶する。当該選択履歴情報記憶部１２２２ｂに記憶される選択履歴情報は、後述する選択履歴情報記憶プログラム１２３ｂの説明と併せて詳述する。
【００２７】
ＲＯＭ１２３は、例えば、不揮発性メモリから成るプログラム格納エリアを有しており、具体的には、メニュー情報表示制御プログラム１２３ａ、選択履歴情報記憶プログラム１２３ｂ、選択履歴情報表示制御プログラム１２３ｃ、選択可能項目表示制御プログラム１２３ｄ、下位階層表示制御プログラム１２３ｅ等が記憶される。
【００２８】
メニュー情報表示制御プログラム１２３ａは、例えば、ＣＰＵ１２１に、メニュー情報記憶部１２２２ａにより記憶されたメニュー情報を、表示部１０に表示させる機能を実現させるためのプログラムである。
具体的には、ユーザがリモコン２のメニューキー２２を押下操作すると、当該メニューキー２２に対応するリモコン信号が送出される。また、当該リモコン信号は、受像機本体１のリモコン信号受光部４において受信されると、制御部１２に出力される。ＣＰＵ１２１は、メニューキー２２に対応するリモコン信号が入力されたと判断すると、メニュー情報記憶部１２２２ａに記憶されたメニュー情報における最上位階層である第１階層のメニュー情報を読み出し、読み出したメニュー情報に基づくメニュー画面を、表示部１０のディスプレイ１０ａに表示させる。さらに、ＣＰＵ１２１は、表示部１０のディスプレイ１０ａ上に表示されたメニュー画面において、ユーザにより、リモコン２のキー操作が行われると、当該キー操作に応じて、メニュー情報記憶部１２２２ａから指定された階層のメニュー情報を読み出し、読み出したメニュー情報に基づくメニュー画面に切り替える。
ＣＰＵ１２１は、かかるメニュー情報表示制御プログラム１２３ａを実行することにより、メニュー情報表示制御手段として機能する。
【００２９】
ここで、図３を参照しながら、メニュー情報表示制御プログラム１２３ａの実行に基づく、メニュー画面におけるメニュー情報選択処理について、具体的に説明する。ここでは、例えば、ユーザが、デジタル放送におけるアンテナ５の強度を設定する場合について説明する。
【００３０】
リモコン２におけるメニューキー２２の押下により、表示部１０に表示される第１階層のメニュー情報を表示するメニュー画面では、例えば、図３（ａ）のように、「ＤＶＤビデオ設定」「画面設定」「機器設定」「初期設定」「お知らせ」の選択項目が表示されている。なお、以下の説明では、当該第１階層のメニュー情報を表示するメニュー画面を「第１メニュー画面」という（なお、他の階層のメニュー情報を表示するメニュー画面についても、同様とする）。
次に、この第１メニュー画面において、ユーザは、カーソル移動キー２４等を操作して画面上のカーソルを一の選択項目に移動させ、決定キー２５を押下することにより、所望の選択項目を選択する。
例えば、図３（ａ）に例示する第１メニュー画面の初期状態から「初期設定」を選択する場合、ユーザは、下キー２４ｂを３回押下することにより、図３（ｂ）に示すように、「ＤＶＤビデオ設定」に存在するカーソルを「初期設定」に移動させ、決定キー２５を押下する。
すると、メニュー情報記憶部１２２２ａに記憶されたメニュー情報における第１階層の「初期設定」の下位の第２階層のメニュー情報が読み出され、図３（ｃ）に示すように、表示部１０に第２メニュー画面が表示される。図３（ｃ）に示すように、第１階層の「初期設定」の下位の第２メニュー画面では、「簡単設定」「チャンネル設定」「郵便番号設定」「電話番号設定」「全設定初期化」の選択項目が表示されている。
【００３１】
次に、この第２メニュー画面において、ユーザが下キー２４ｂを押下することにより、図３（ｄ）に示すように、カーソルを「チャンネル設定」に移動させ、決定キー２５を押下すると、第２階層の「チャンネル設定」の下位の第３階層のメニュー情報が読み出され、図３（ｅ）に示すように、表示部１０に第３メニュー画面が表示される。図３（ｅ）に示すように、第２階層の「チャンネル設定」の下位の第３メニュー画面では、「地上アナログ」「地上デジタル」「ＢＳ」「ＣＳ１」「ＣＳ２」の選択項目が表示されている。
【００３２】
次に、この第３メニュー画面において、ユーザが下キー２４ｂを押下することにより、図３（ｆ）に示すように、カーソルを「地上デジタル」に移動させ、決定キー２５を押下すると、第３階層の「地上デジタル」の下位の第４階層のメニュー情報が読み出され、図３（ｇ）に示すように、表示部１０に第４メニュー画面が表示される。図３（ｇ）に示すように、第３階層の「地上デジタル」の下位の第４メニュー画面では、「アンテナ強度」「チャンネルスキャン」「リモコン設定」「スキップ設定」が表示されている。
【００３３】
さらに、この第４メニュー画面において、ユーザが決定キー２５を押下して、最終的に選択したい最終選択項目としての「アンテナ強度」を選択すると、図３（ｈ）に示すように、地上デジタル放送を受信する際のアンテナ５の強度を設定する画面に切り替わる。これにより、ユーザは、アンテナ強度のレベルを設定することができる。
【００３４】
選択履歴情報記憶プログラム１２３ｂは、例えば、ＣＰＵ１２１に、リモコン２を用いてユーザにより選択操作されたメニュー情報の選択履歴情報を記憶する機能を実現させるためのプログラムである。
具体的には、上述のメニュー情報表示制御プログラム１２３ａの実行により表示部１０に表示された各階層のメニュー画面において、リモコン２の操作により、ユーザにより最終選択項目が選択された場合に、ＣＰＵ１２１は、最終選択項目と、その最終選択項目が選択されるまでの上位の各階層において、リモコン２の決定キー２５の操作により選択された選択項目のそれぞれと、を互いに関連付けて、選択履歴情報として選択履歴情報記憶部１２２２ｂに記憶する。
すなわち、上記に具体例として例示するデジタル放送のアンテナ強度の設定操作が行われた場合には、ＣＰＵ１２１は、選択履歴情報として、第１メニュー画面における「初期設定」を第１階層において選択された選択項目として、第２メニュー画面における「チャンネル設定」を第２階層において選択された選択項目として、第３メニュー画面における「地上デジタル」を第３階層において選択された選択項目として、第４メニュー画面における「アンテナ強度」を第４階層において選択された最終選択項目として、互いに対応づけて選択履歴情報記憶部１２２２ｂに記憶する。
また、選択履歴情報記憶部１２２２ｂは、所定の数（例えば、１２つ）の選択履歴情報を記憶するように構成されており、当該所定の数の選択履歴情報が記憶されている場合には、新しい選択履歴情報が記憶される度に、古い選択履歴情報から順に削除される。また、ＣＰＵ１２１は、同一内容の選択履歴情報が記憶されている場合には、既に記憶されている選択履歴情報を上書きして記憶する。
ＣＰＵ１２１は、かかる選択履歴情報記憶プログラム１２３ｂを実行することにより、選択履歴情報記憶部１２２２ｂとともに選択履歴情報記憶手段として機能する。
【００３５】
選択履歴情報表示制御プログラム１２３ｃは、例えば、ＣＰＵ１２１に、選択履歴情報記憶プログラム１２３ｂの実行により記憶された選択履歴情報における最終選択項目と、当該最終選択項目の各上位階層における選択項目とを対応づけて、表示部１０に表示させる機能を実現させるためのプログラムである。
具体的には、ユーザがリモコン２の履歴表示キー２３を押下操作すると、当該履歴表示キー２３に対応するリモコン信号がリモコン２から送出される。また、当該リモコン信号は、受像機本体１のリモコン信号受光部４において受信されると、制御部１２に出力される。ＣＰＵ１２１は、履歴表示キー２３に対応するリモコン信号が入力されたと判断すると、選択履歴情報記憶部１２２２ｂに記憶された選択履歴情報を読み出し、読み出した選択履歴情報に基づく履歴画面を、表示部１０のディスプレイ１０ａに表示させる。
図４は、選択履歴情報表示制御プログラム１２３ｃの実行により、表示部１０に表示される履歴画面を例示する図である。図４に示すように、履歴画面では選択履歴情報が一覧表示されており、各選択履歴情報に項目番号が付されている。また、各選択履歴情報における最終選択項目のそれぞれに対応して、最終選択項目を選択する際に、その最終選択項目の上位の各階層において、リモコン２の決定キー２５の操作により、ユーザにより選択された選択項目が表示される。
例えば、図４の履歴画面における項目番号「１」では、最終選択項目である「アンテナ強度」が表示されるとともに、当該「アンテナ強度」の上位階層のそれぞれにおける選択項目として、第３階層における選択項目「地上デジタル」、第２階層における選択項目「チャンネル設定」、第１階層における選択項目「初期設定」のそれぞれが、最終選択項目「アンテナ強度」と対応付けられて表示されている。
ＣＰＵ１２１は、かかる選択履歴情報表示制御プログラム１２３ｃを実行することにより、選択履歴情報表示制御手段として機能する。
【００３６】
選択可能項目表示制御プログラム１２３ｄは、例えば、ＣＰＵ１２１に、表示部１０に表示された最終選択項目に対応する上位階層において他に選択可能な選択可能項目を、表示部１０にスクロール表示させる機能を実現させるためのプログラムである。
具体的には、ＣＰＵ１２１は、上述の選択履歴情報表示制御プログラム１２３ｃの実行により、表示部１０に表示された履歴画面において、ユーザによるリモコン２における上キー２４ａ／下キー２４ｂの操作により、最終選択項目に対応付けられて表示される選択項目がスクロール操作された場合に、当該選択項目の階層において他に選択可能な選択可能項目を、画面上にスクロール表示させる。
ＣＰＵ１２１は、かかる選択可能項目表示制御プログラム１２３ｄを実行することにより、選択可能項目表示制御手段として機能する。
【００３７】
下位階層表示制御プログラム１２３ｅは、例えば、ＣＰＵ１２１に、選択可能項目表示制御プログラム１２３ｄの実行により表示部１０にスクロール表示された選択可能項目の中から、一の選択可能項目が、リモコン２を用いてユーザにより選択操作された場合に、当該一の選択可能項目に対応する下位階層のメニュー情報を、表示部１０に表示させる機能を実現させるためのプログラムである。
具体的には、ＣＰＵ１２１は、上述の選択可能項目表示制御プログラム１２３ｄの実行により、表示部１０に表示された履歴画面において、他に選択可能な選択可能項目がスクロール表示された状態で、ユーザによりリモコン２の決定キー２５が操作されると、当該選択可能項目の直下階層のメニュー情報を、メニュー情報記憶部１２２２ａから読み出し、読み出したメニュー情報に基づくメニュー画面を、表示部１０に表示させる。
ＣＰＵ１２１は、かかる下位階層表示制御プログラム１２３ｅを実行することにより、下位階層表示制御手段として機能する。
【００３８】
ここで、図５及び図６を参照しながら、選択履歴情報表示制御プログラム１２３ｃ、選択可能項目表示制御プログラム１２３ｄ、下位階層表示制御プログラム１２３ｅの実行に基づく、履歴画面からのメニュー情報選択処理について、具体的に説明する。
【００３９】
リモコン２における履歴表示キー２３の押下により、表示部１０に表示される履歴画面の初期状態では、例えば、図５（ａ）のように、選択履歴情報が、項目番号が付されて一覧表示されるとともに、各選択履歴情報における最終選択項目「アンテナ強度」「電話回線設定」「コントラスト」に対応付けられて、その最終選択項目の上位の各階層における選択項目が表示されている。
まず、ユーザは、各選択履歴情報に割り当てられた項目番号のテンキー２９を長押し操作して、所望の選択履歴情報を選択する。
例えば、図５（ａ）に例示する履歴画面の初期状態から項目番号「１」の選択履歴情報を選択する場合、ユーザは、テンキー２９の「１」を長押しする。すると、図５（ｂ）に示すように、項目番号「１」が付された選択履歴情報における最終選択項目「アンテナ強度」にカーソルが表示される。
【００４０】
次に、ユーザは、右キー２４ｄ／左キー２４ｃを操作して、最終選択項目上のカーソルを、その最終選択項目と対応づけて表示される所望の選択項目に移動させる。
例えば、図５（ｂ）に例示する履歴画面の状態から、最終選択項目「アンテナ強度」の上位の第２階層にカーソルを移動させる場合には、ユーザは、右キー２４ｄを２回押下する。すると、図５（ｃ）に示すように、項目番号「１」の選択履歴情報における「チャンネル設定」にカーソルが移動する。
【００４１】
次に、ユーザは、上キー２４ａ／下キー２４ｂを操作して、カーソルが存在する選択項目の階層において、他に選択可能な選択可能項目をスクロール表示させる。
例えば、図５（ｃ）に例示する履歴画面の状態から、ユーザが上キー２４ａを操作すると、第２階層において、「チャンネル設定」の他に選択可能な選択可能項目「簡単設定」がスクロール表示される。また、例えば、図５（ｃ）に例示する履歴画面の状態から、ユーザが下キー２４ｂを操作すると、第２階層において、「チャンネル設定」の他に選択可能な選択可能項目「郵便番号設定」「電話番号設定」「全設定初期化」が順にスクロール表示される。例えば、図５（ｃ）に例示する履歴画面の状態から、ユーザが下キー２４ｂを１回押下した場合には、図５（ｄ）に示すように、第２階層における選択可能項目「郵便番号設定」がスクロール表示される。
【００４２】
そして、ユーザは、スクロール表示された選択可能項目上にカーソルが存在する状態で、決定キー２５を操作して、当該選択可能項目の下位階層のメニュー情報を表示するメニュー画面を、表示部１０に表示させる。
例えば、図５（ｄ）の履歴画面に示すように、第２階層における選択可能項目「郵便番号設定」がスクロール表示され、当該選択可能項目「郵便番号設定」上にカーソルが表示された状態で、ユーザが決定キー２５を押下すると、図６に示すように、第２階層の「郵便番号設定」の直下の第３階層のメニュー情報が、メニュー情報記憶部１２２２ａから読み出され、読み出されたメニュー情報に基づく第３メニュー画面が、表示に表示される。
これにより、ユーザは、履歴画面から所望の選択可能項目の下位に存在する階層に容易に遷移して、メニュー情報の選択操作を行うことができ、最上位の第１階層から再び選択操作をする場合と比較して、操作にかかる時間を短縮することができるとともに、メニュー情報の選択操作をより容易に行うことができる。
【００４３】
また、図示は省略するが、ユーザが決定キー２５の押下により選択した選択可能項目が、最下位階層に属する最終選択項目である場合には、当該最終選択項目を設定する設定画面に切り替わることとなる。
【００４４】
以上説明した本実施形態のテレビジョン受像機１００によれば、メニュー情報記憶部１２２２ａに、テレビジョン受像機１００における所定の設定を行うための階層化されたメニュー情報が記憶され、メニュー情報表示制御プログラム１２３ａの実行により、メニュー情報記憶部１２２２ａに記憶されたメニュー情報が、表示部１０に表示され、リモートコントローラ２により、メニュー情報表示制御プログラム１２３ａの実行により表示部１０に表示されたメニュー情報の中から、ユーザによる選択操作が行われ、選択履歴情報記憶プログラム１２３ｂの実行により、リモートコントローラ２を用いてユーザにより選択操作されたメニュー情報の選択履歴情報が記憶され、選択履歴情報表示制御プログラム１２３ｃの実行により、選択履歴情報記憶プログラム１２３ｂの実行により記憶された選択履歴情報における最終選択項目と、最終選択項目の各上位階層における選択項目とが対応づけられて、表示部１０に表示され、選択可能項目表示制御プログラム１２３ｄの実行により、選択履歴情報表示制御プログラム１２３ｃの実行により表示部１０に表示された最終選択項目に対応する上位階層において他に選択可能な選択可能項目が、表示部１０に表示される。
したがって、表示部１０に、ユーザが過去に選択した最終選択項目と、当該最終選択項目の上位の各階層における選択項目と、を対応付けて表示させることができるとともに、当該上位の各階層において他に選択可能な選択可能項目を表示させることができるため、階層型メニューの階層構造を視覚的に把握することができ、過去に行った操作の履歴を用いて、所望の選択項目をより容易に選択することができるテレビジョン受像機１００を提供することができる。
【００４５】
また、下位階層表示制御プログラム１２３ｅの実行により、選択可能項目表示制御プログラム１２３ｄの実行により表示部１０にスクロール表示された選択可能項目の中から、一の選択可能項目が、リモートコントローラ２を用いてユーザにより選択操作された場合に、当該一の選択可能項目に対応する下位階層のメニュー情報が、表示部１０に表示される。
すなわち、ユーザは、表示部１０に表示された選択履歴情報から、所望の階層のメニュー情報に容易に遷移して、選択操作を行うことが可能となる。したがって、最上位階層から選択操作を行う場合と比べて、選択操作の時間短縮及び容易化を図ることができる。
【００４６】
また、選択可能項目表示制御プログラム１２３ｄは、選択可能項目を、表示部１０にスクロール表示させるため、複数の階層における選択可能項目を同一画面上でスクロール表示できることとなる。
したがって、メニュー情報の階層構造及び各階層の選択可能項目を、視覚的に把握し易くなるとともに、選択する選択可能項目の存在する階層のメニュー情報に画面が切り替わる場合と比べて、使い勝手が向上する。
【００４７】
さらに、リモートコントローラ２には、選択履歴情報表示制御プログラム１２３ｃの実行により選択履歴情報を表示部１０に表示させるための履歴表示キー２３が備わる。
したがって、履歴表示キー２３の押下だけで、選択履歴情報を表示部１０に表示させることができ、使い勝手が向上する。
【００４８】
なお、本発明は、上記実施の形態に限られることなく、本発明の趣旨を逸脱しない範囲において、種々の改良並びに設計の変更を行っても良い。
例えば、選択履歴情報記憶部１２２２ｂに記憶される選択履歴情報は、古い情報から順に削除しなくとも良く、例えば、当該選択履歴情報を表示する履歴画面における各選択履歴情報からのメニュー情報の選択回数をカウントして、カウントした回数の少ないものから順に削除するように構成しても良い。
【図面の簡単な説明】
【００４９】
【図１】本実施形態のテレビジョン受像機の要部構成を例示するブロック図である。
【図２】リモートコントローラの平面図である。
【図３】メニュー情報表示制御プログラムの実行に基づく、メニュー画面からのメニュー情報表示処理を説明するための図である。
【図４】選択履歴情報表示制御プログラムの実行により、表示部に表示される履歴画面を例示する図である。
【図５】選択履歴情報表示制御プログラム、選択可能項目表示制御プログラム、下位階層表示制御プログラムの実行に基づく、履歴画面からのメニュー情報選択処理を説明するための図である。
【図６】履歴画面からのメニュー情報選択処理により、遷移するメニュー画面の例示である。
【符号の説明】
【００５０】
１００      テレビジョン受像機（電子機器）
２          リモートコントローラ（選択操作手段）
２３        履歴表示キー（履歴表示専用キー）
１０        表示部
１２２２ａ  メニュー情報記憶部（記憶手段）
１２２２ｂ  選択履歴情報記憶部（選択履歴情報記憶手段）
１２１      ＣＰＵ（メニュー情報表示制御手段、選択履歴情報記憶手段、選択履歴情報表示制御手段、選択可能項目表示制御手段、下位階層表示制御手段）
１２３ａ    メニュー情報表示制御プログラム（メニュー情報表示制御手段）
１２３ｂ    選択履歴情報記憶プログラム（選択履歴情報記憶手段）
１２３ｃ    選択履歴情報表示制御プログラム（選択履歴情報表示制御手段）
１２３ｄ    選択可能項目表示制御プログラム（選択可能項目表示制御手段）
１２３ｅ    下位階層表示制御プログラム（下位階層表示制御手段）
【図１】
2008287567.tif 000003
【図２】
2008287567.tif 000004
【図３】
2008287567.tif 000005
【図４】
2008287567.tif 000006
【図５】
2008287567.tif 000007
【図６】
2008287567.tif 000008